(57)【特許請求の範囲】
【請求項１】
被着体及びコネクタの何れか一方に設けられた収容室に、他方の前記被着体又は前記コネクタに設けられた被収容部を収容して、前記コネクタを前記被着体に装着するコネクタの取付構造であって、
前記収容室の内周壁及び前記内周壁と向き合う前記被収容部の側壁の何れか一方に設けられた押圧部と、他方の前記内周壁又は前記側壁に設けられた弾性部材とを、前記収容室への前記被収容部の挿脱方向に嵌め合わせて前記弾性部材を撓ませ、前記押圧部及び前記弾性部材の何れか一方で他方を挟持して構成され、
前記弾性部材は、丸棒体の中央部から両端部の近傍にかけてＵ字状に屈曲させた概略形状を有している嵌合バネであり、前記嵌合バネは、左右のバネ支持部の挿通孔にそれぞれ挿入する一対の支持部を有し、前記収容室の下面受部の中央部にはバネ係止片が突設され、前記嵌合バネの屈曲した中央部をバネ係止片に係止されて前記収容室に取り付けられ、
前記押圧部と嵌め合わされて撓んだ前記弾性部材は、前記被収容部の前記収容室からの離脱方向に向けての付勢力を、前記押圧部に働かせていることを特徴とするコネクタ。
【発明の詳細な説明】
【技術分野】
【０００１】
本発明は、被着体及びコネクタの何れか一方に設けられた収容室に、他方に設けられた被収容部を収容して、被着体に装着されるコネクタの取付構造に関する。
【背景技術】
【０００２】
この種のコネクタとしては、下記の特許文献１に記載の電気コネクタが開示されている。この電気コネクタは、メスハウジングの外周に沿って設けられた案内溝に掛け止め金具を挿入すると、掛け止め金具の湾曲したバネ部分が案内溝の一対の立ち壁間に挟まれて、オスハウジングとの嵌合方向にプリロードを作用させる。
【０００３】
オスハウジングがメスハウジングに嵌挿されると、案内溝内の開口部からメスハウジング内に突出した掛け止め金具の一対の掛止部が、オスハウジングの誘導溝に押圧されて誘導溝と連なる固定溝に移動する。これに伴い、掛け止め金具のバネ部分が案内溝の拡幅部分に移動し、掛止部で雌ハウジングに付勢力を働かせる。
【０００４】
【特許文献１】特開２００６−２０２５５７号公報
【発明の開示】
【発明が解決しようとする課題】
【０００５】
上記特許文献１に記載の電気コネクタでは、掛け止め金具を収容する案内溝の一対の立ち壁が、雌ハウジングの外周に沿って突設されていることから、メスハウジングがその分大型化し、広い設置スペースを必要とした。
【０００６】
本発明は斯かる課題に鑑みてなされたもので、上記課題を解決できるコネクタの取付構造及びコネクタを提供することを目的とする。
【課題を解決するための手段】
【０００７】
このような目的を達成するために、本発明のコネクタは、被着体及びコネクタの何れか一方に設けられた収容室に、他方の前記被着体又は前記コネクタに設けられた被収容部を収容して、前記コネクタを前記被着体に装着するコネクタの取付構造であって、前記収容室の内周壁及び前記内周壁と向き合う前記被収容部の側壁の何れか一方に設けられた押圧部と、他方の前記内周壁又は前記側壁に設けられた弾性部材とを、前記収容室への前記被収容部の挿脱方向に嵌め合わせて前記弾性部材を撓ませ、前記押圧部及び前記弾性部材の何れか一方で他方を挟持して構成され、前記弾性部材は、丸棒体の中央部から両端部の近傍にかけてＵ字状に屈曲させた概略形状を有している嵌合バネであり、前記嵌合バネは、左右のバネ支持部の挿通孔にそれぞれ挿入する一対の支持部を有し、前記収容室の下面受部の中央部にはバネ係止片が突設され、前記嵌合バネの屈曲した中央部をバネ係止片に係止されて前記収容室に取り付けられ、前記押圧部と嵌め合わされて撓んだ前記弾性部材は、前記被収容部の前記収容室からの離脱方向に向けての付勢力を、前記押圧部に働かせていることを特徴とする。
【発明の効果】
【０００８】
本発明によれば、互いが装着されたコネクタ及び被着体の外形内に弾性部材及び押圧部を納めて、コネクタ及び被着体の設置スペースを削減することができる。
【発明を実施するための最良の形態】
【０００９】
以下、図面を参照して、本発明の最良の形態を説明する。
図１は、本実施形態の雌コネクタ１及び雄コネクタ３を上面側から見た斜視図である。図２は、雌コネクタ１及び雄コネクタ３を下面側から見た斜視図である。
【００１０】
図１及び図２に示すように、雌コネクタ１は、ハウジング１１の前面に開口した収容室１１ｅに、矢印Ａで示すように雄コネクタ３を収容して装着する。雄コネクタ３は、ハウジング３１の左右の両側面３１ｃ，３１ｄに、それぞれ一対のガイド突条３２を備えている。一対のガイド突条３２は、ハウジング３１の左面３１ｃ又は右面３１ｄの上下の両縁に沿って、それぞれ前後方向に延びている。
【００１１】
上縁側のガイド突条３２と下縁側のガイド突条３２との間に位置する左面３１ｃ及び右面３１ｄには、それぞれロック部３４が設けられている。また、ハウジング３１の上面３１ａの左右の両縁部には、それぞれガイド突条３３が設けられている。各ガイド突条３３は、ハウジング３１の上面３１ａの左右の両縁に沿って、それぞれ前後方向に延びている。ハウジング３１の下面３１ｂには、下面３１ｂを上面３１ａ側に窪ませて構成されたバネ収容部３５が設けられている。バネ収容部３５は、下面３１ｂの前縁から後方に向けて、略Ｕ字状を呈して延びている。
【００１２】
図３は、雌コネクタ１を前方から見た斜視図である。図３に示すように、雌コネクタ１の左右の両側壁１１ｃ，１１ｄには、それぞれロック片１２が設けられている。各ロック片１２は、左壁１１ｃ又は右壁１１ｄをコの字状に切り抜いて形成された舌片に、ロック孔１２ａを設けた形状を呈している。ロック片１２は、雄コネクタ３のロック部３４をロック孔１２ａに嵌め合わせて、雌コネクタ１からの雄コネクタ３の離脱を規制する。左壁１１ｃの内面には、雄コネクタ３の左面３１ｃのガイド突条３２を収容する一対のガイド部１１ｃ１が設けられている。各ガイド部１１ｃ１は、左壁１１ｃの内面を外面側に窪ませて形成されており、ロック片１２の左右の縁部に沿って前後方向に延びている。右壁１１ｄの内面にも、雄コネクタ３の右面３１ｄのガイド突条３２を収容するガイド部１１ｄ１が、ガイド部１１ｃ１と同様に設けられている。
【００１３】
ハウジング１１の上壁１１ａの内面には、雄コネクタ３のガイド突条３３を収容する一対のガイド部１１ａ１が設けられている。各ガイド部１１ａ１は、上壁１１ａの内面を外面側に窪ませて形成されており、上壁１１ａの左右の縁部に沿って前後方向に延びている。ハウジング１１の下壁１１ｂの内面は、雄コネクタ３の下面３１ｂを受ける下面受部１３となっている。下面受部１３の中央部には、バネ係止片１５が突設されている。バネ係止片１５は、下面受部１３から上壁１１ａ側に向けて延びた後、前方に向けて屈曲して略Ｌ字状を呈した板状体から構成されている。下面受部１３の後縁からは、奥壁部１３ａが上壁１１ａ側に延びており、この奥壁部１３ａの左右の両側部にはバネ支持部１４が設けられている。各バネ支持部１４は、略四角ブロック体から構成されており、左右方向の中央部の端面には挿通孔１４ａが開口している。各挿通孔１４ａは、バネ支持部１４内を左右に延びており、後述する嵌合バネ２の支持部２２を挿入される。
【００１４】
図４は、嵌合バネ２を取り外した雌コネクタ１の斜視図である。図４に示すように、嵌合バネ２は、丸棒体の中央部から両端部の近傍にかけてをＵ字状に屈曲させた概略形状を有している。嵌合バネ２は、一対の支持部２２を左右のバネ支持部１４の挿通孔１４ａにそれぞれ挿入し、屈曲した中央部２３をバネ係止片１５に係止されて雌コネクタ１に取り付けられている（図３参照）。支持部２２は、挿通孔１４ａ内で左右方向に移動自在となっており、支持部２２と中央部２３との間に位置する荷重受部２１に左右の外方から荷重を受けた嵌合バネ２が中央部２３を支点として撓むと中央部側に移動し、撓みが解けると左右の外方に移動する。
【００１５】
図５及び図６は、雌コネクタ１への雄コネクタ３の挿入時の動作を説明する図であり、図５は挿入前、図６は挿入後を示している。
【００１６】
雌コネクタ１を雄コネクタ３に装着する場合には、図５に示すように、バネ収容部３５の前縁の開放端が嵌合バネ２と向かい合うようにして、雄コネクタ３のハウジング３１を雌コネクタ１の収容室１１ｅ内に矢印Ｂで示すように挿入する。収容室１１ｅにハウジング３１を挿入された雄コネクタ３は、図６に示すようにバネ収容部３５の左右の内壁を荷重受部２１に当接させて嵌合バネ２を挟み込み、荷重受部２１を左右方向の中央部に向けて押圧する。荷重受部２１を押圧された嵌合バネ２は、支持部２２を挿通孔１４ａ内で左右方向の中央部側に移動させ、左右の幅を縮幅させて中央部２３を支点として屈曲する。屈曲した嵌合バネ２は、弾発力を働かせて荷重受部２１でバネ収容部３５の左右の内壁を左右の外方に押圧する。これにより、雄コネクタ３が嵌合バネ２と一体化して雌コネクタ１に装着される。
【００１７】
荷重受部２１からバネ収容部３５の左右の内壁に、図６に矢印Ｃで示すように働く弾発力は、矢印Ｄで示すように、バネ収容部３５の左右の内壁を離脱方向に押し出すように作用する。このため、雌コネクタ１から雄コネクタ３を引き抜くのに要する力が低減される。
【００１８】
本実施形態によれば、雄コネクタ３の下面３１ｂに設けられたバネ収容部３５と、雌コネクタ１の下面受部１３に設けられて収容室１１ｅ内に位置した嵌合バネ２とを、収容室１１ｅへの雄コネクタ３の挿脱方向に嵌め合わせて嵌合バネ２を撓ませ、バネ収容部３５で嵌合バネ２を挟持して、雄コネクタ３を雌コネクタ１に取り付けることから、雌コネクタ１と雄コネクタ３とを位置決めする嵌合バネ２及びバネ収容部３５を、互いが装着された両コネクタ１，３の外形内に収めることができる。このため、両コネクタ１，３の小型化を図り、設置スペースを削減することができる。
【００１９】
また、本実施形態によれば、バネ収容部３５と嵌め合わされて撓んだ嵌合バネ２が、雄コネクタ３の収容室１１ｅからの離脱方向に向けての付勢力をバネ収容部３５に働かせていることから、雄コネクタ３を雌コネクタ１から離脱させるのに要する力を低減することができる。
【００２０】
また、本実施形態によれば、雄コネクタ３のバネ収容部３５と嵌合バネ２とが嵌め合いにより互いに一体化して、雌コネクタ１の収容室１１ｅに収容されることから、収容室１１ｅ内での雄コネクタ３のガタつきを抑えることができる。
【００２１】
なお、必ずしもハウジング３１がガイド突条３２，３３を備える必要はない。また、上記実施形態では、バネ収容部３５で嵌合バネ２を挟み込んだ場合について説明したが、嵌合バネ２でバネ収容部３５を挟み込んで嵌合バネ２とバネ収容部３５とを嵌め合わせる構成としてもよい。また、弾性部材の形状や材質は、押圧部に押圧されて弾性力を働かせ、押圧部を挟持し又は押圧部に挟持されることで、互いを固定できるのであれば任意である。
【００２２】
また、上記実施形態では、雌コネクタ１の下壁部１１ｂに嵌合バネ２が、雄コネクタ３の下面３ｂにバネ収容部３５が、それぞれ１つずつ備えられている場合について説明したが、嵌合バネ２及びバネ収容部３５の数量は任意である。例えば、下面受部１３に複数の嵌合バネ２を設け、この嵌合バネ２と嵌め合わされるバネ収容部３５を、雄コネクタ３の下面３１ｂに複数設ける構成としてもよい。
【００２３】
また、嵌合バネ２とバネ収容部３５とを嵌め合わせられるなら、雌コネクタ１の上下及び左右の何れかの壁１１ａ〜１１ｄに嵌合バネ２が設けられていても、雄コネクタ３の上下及び左右の何れの面３１ａ〜３１ｄにバネ収容部３５が設けられていてもよく、例えば、雌コネクタ１の上下及び左右の全ての壁１１ａ〜１１ｄの内面を雄コネクタ３の外面を受ける受部としてそれぞれに嵌合バネ２を設け、雄コネクタ３の上下及び左右の全ての面３１ａ〜３１ｄにバネ収容部３５を設けてもよい。
【００２４】
上記実施形態では、雄コネクタ３のほぼ全体を収容室１１ｅに収容した場合について説明したが、収容室１１ｅに収容される被収容部を備えるコネクタでは、嵌合バネ２又はバネ収容部３５が被収容部に備えられていればよい。上記実施形態では、嵌合バネ２が収容室１１ｅ内で左右方向に移動する構成を有していたが、嵌合バネ２が雌コネクタ１に固定されていてもよい。
【図面の簡単な説明】
【００２５】
【図１】本発明の一実施形態の雌コネクタ及び雄コネクタを上面側から見た斜視図である。
【図２】図１に示す雌コネクタ及び雄コネクタを下面側から見た斜視図である。
【図３】雌コネクタを前方から見た斜視図である。
【図４】嵌合バネを取り外した雌コネクタの斜視図である。
【図５】雌コネクタへの雄コネクタの挿入時の動作を説明する第１の図である。
【図６】雌コネクタへの雄コネクタの挿入時の動作を説明する第２の図である。
【符号の説明】
【００２６】
１          雌コネクタ
１１        ハウジング
１１ｅ      収容室
１３        下面受部
１４        バネ支持部
１４ａ      挿通孔
１５        バネ係止片
２          嵌合バネ
２１        荷重受部
２２        支持部
２３        中央部
３          雄コネクタ
３１        ハウジング
３５        バネ収容部
【図１】
0005075696.tif 000002
【図２】
0005075696.tif 000003
【図３】
0005075696.tif 000004
【図４】
0005075696.tif 000005
【図５】
0005075696.tif 000006
【図６】
0005075696.tif 000007